(57)【要約】【課題】安価で取り扱い易く、しかも機能部材を下面に設けた開き戸に対しても適用可能な開き戸用足指詰め防止材を提供する。【解決手段】この足指詰め防止材２０は、開き戸１の戸先側下面１０ａに取り付けて、その戸先側下面１０ａと床面５との間に生じる隙間６を小さくして足指詰めを防止するものであって、左右一対の側枠部２１、２１と、これら側枠部２１、２１の先端同士を連結する先端枠部２２とを有し、全体的にコ字枠状に形成されている。そして、開き戸１への取付状態において、開き戸１の戸先側下面１０ａにおける戸厚方向中央部位を回避するように、左右一対の側枠部２１、２１が開き戸１の表裏面１１、１２の戸先側下端部に沿って配されるとともに、先端枠部２２が開き戸１の戸先側端面１３の下端部に沿って配される。【選択図】図４
2011144545.tif 000002
【特許請求の範囲】
【請求項１】
開き戸（１）の戸先側下面（１０ａ）に取り付けて、その戸先側下面（１０ａ）と床面（５）との間に生じる隙間（６）を小さくして足指詰めを防止する足指詰め防止材（２０）であって、左右一対の側枠部（２１）（２１）と、これら側枠部（２１）（２１）の先端同士を連結する先端枠部（２２）とを有し、全体的にコ字枠状に形成され、前記開き戸（１）への取付状態において、前記開き戸（１）の戸先側下面（１０ａ）における戸厚方向中央部位を回避するように、前記左右一対の側枠部（２１）（２１）が前記開き戸（１）の表裏面（１１）（１２）の戸先側下端部に沿って配されるとともに、前記先端枠部（２２）が前記開き戸（１）の戸先側端面（１３）の下端部に沿って配されることを特徴とする開き戸用足指詰め防止材。
【請求項２】
前記左右一対の側枠部（２１）（２１）が切り離し可能とされている請求項１記載の開き戸用足指詰め防止材。
【請求項３】
前記先端枠部（２２）に、前記左右一対の側枠部（２１）（２１）を切り離すための切れ込み（２４）（２４）が予め形成されている請求項２記載の開き戸用足指詰め防止材。
【請求項４】
請求項１乃至３のいずれかに記載の開き戸用足指詰め防止材（２０）を、戸先側下面（１０ａ）に取り付けてなることを特徴とする開き戸。
【発明の詳細な説明】
【技術分野】
【０００１】
この発明は、開き戸の下面と床面との間に生じる隙間における足の指詰めを防止するための開き戸用足指詰め防止材及びこれを使用した開き戸に関する。
【背景技術】
【０００２】
一般に、住宅の屋内に設けられる開き戸は、門型の戸枠における一方の縦枠材にヒンジを介して回転可能に支持されており、開き戸の下面と床面との間には、干渉防止用の隙間が形成されている。また、開き戸によって仕切られた空間同士を繋ぐ換気流路を確保するために、開き戸の下面と床面との間に、アンダーカットと称される高さ１０ｍｍ〜３０ｍｍ程度の通気用の隙間を形成することもある。
【０００３】
このように、開き戸の下面と床面との間には、所定高さの隙間が形成されているが、この隙間の高さが例えば７ｍｍを越えると、開き戸の開閉動作に際して、足の指先が隙間に挟まり易くなって、足指詰めの危険性が高くなる。
【０００４】
そこで、従来より、開き戸の下面に被覆材を取り付けて、開き戸の下面と床面との間に生じる隙間を小さくすることで、足指詰めを防止するといった対策が採られている（例えば特許文献１、２参照）。
【先行技術文献】
【特許文献】
【０００５】
【特許文献１】特開２００７−９６４６号公報
【特許文献２】特開２００７−９６４７号公報
【発明の概要】
【発明が解決しようとする課題】
【０００６】
しかしながら、従来の開き戸の下面に取り付ける被覆材は、開き戸の下面の戸先側から吊り元側の略全長を覆うような長尺物であることから、材料費が高くて取り扱いも面倒であり、しかも床面ストッパーやエアタイト等の機能部材を下面に設けた開き戸に対しては適用不可といった制約があった。さらに、開き戸の下面と床面との間に通気用の隙間を形成している場合には、この通気用の隙間の大部分が被覆材によって塞がれることになり、換気性能の低下を招くといった不具合があった。また、戸厚の異なる開き戸に対しては、その戸厚に応じた幅を有する被覆材を別途用意する必要があり、汎用性に乏しいといった不具合があった。
【０００７】
そこで、この発明は、上記の不具合を解消して、安価で取り扱い易く、しかも機能部材を下面に設けた開き戸に対しても適用可能であり、さらに換気性能に悪影響を与えることがない汎用性に優れた開き戸用足指詰め防止材及びこれを使用した開き戸の提供を目的とする。
【課題を解決するための手段】
【０００８】
この発明の開き戸用足指詰め防止材２０は、開き戸１の戸先側下面１０ａに取り付けて、その戸先側下面１０ａと床面５との間に生じる隙間６を小さくして足指詰めを防止するものであって、左右一対の側枠部２１、２１と、これら側枠部２１、２１の先端同士を連結する先端枠部２２とを有し、全体的にコ字枠状に形成され、前記開き戸１への取付状態において、前記開き戸１の戸先側下面１０ａにおける戸厚方向中央部位を回避するように、前記左右一対の側枠部２１、２１が前記開き戸１の表裏面１１、１２の戸先側下端部に沿って配されるとともに、前記先端枠部２２が前記開き戸１の戸先側端面１３の下端部に沿って配されることを特徴とする。
【０００９】
そして、前記左右一対の側枠部２１、２１が切り離し可能とされている。具体的には、前記先端枠部２２に、前記左右一対の側枠部２１、２１を切り離すための切れ込み２４、２４が予め形成されている。
【００１０】
この発明の開き戸１は、上記の足指詰め防止材２０を、戸先側下面１０ａに取り付けてなることを特徴とする。
【発明の効果】
【００１１】
この発明の足指詰め防止材を、開き戸の戸先側下面に取り付けることで、足の指先が開き戸の戸先側下面と床面との間に生じる隙間に挟まり難くなって、足指詰めを効果的に防止することができる。また、特に軟質材からなる足指詰め防止材を使用することで、足の指先が足指詰め防止材に接触したり、開き戸の戸先側下面と床面との間に生じる隙間に挟まるようなことがあったとしても、その当たりをやわらげて怪我が生じ難いようにすることができる。
【００１２】
しかも、足指詰め防止材は、従来の被覆材のような開き戸の下面の戸先側から吊り元側の略全長を覆う長尺なものではなく、開き戸の戸先側下面を覆うだけの短尺なものであるから、材料費を低く抑えてコスト削減を図ることができ、取り扱いを容易にして取付作業や交換作業を簡単に行うことができる。さらに、開き戸の下面と床面との間に通気用の隙間を形成している場合でも、この通気用の隙間における戸先側の一部のみが足指詰め防止材によって塞がれるだけであるから、換気性能を良好に維持することができる。
【００１３】
また、足指詰め防止材は、コ字枠状に形成されていて、開き戸の戸先側下面における戸厚方向中央部位を回避するように取り付けられることから、床面ストッパー等の機能部材を戸先側下面に設けたような開き戸に対しても、機能部材に干渉することなく取り付けることができる。
【００１４】
さらに、足指詰め防止材は、その先端枠部を切れ込みに沿ってカットすることで、左右の側枠部を切り離すことができることから、戸厚が異なる開き戸に対しても、その戸厚に応じた間隔をあけて分離させた側枠部を取り付けて、足指詰めを防止することができる。さらにまた、例えばエアタイト等の機能部材を下面の戸先側から吊り元側の略全長に亘って設けたような開き戸に対しても、その機能部材に干渉しないように分離させた側枠部を取り付けて、足指詰めを防止することができる。従って、汎用性にも優れている。
【図面の簡単な説明】
【００１５】
【図１】この発明の一実施形態に係る開き戸の正面図である。
【図２】開き戸の戸先側下端部を示す正面図である。
【図３】足指詰め防止材の斜視図である。
【図４】開き戸に対する足指詰め防止材の取付状態を示す斜視図である。
【図５】床面ストッパーを設けた開き戸に対する足指詰め防止材の取付状態を示す斜視図である。
【図６】足指詰め防止材の切り離し状態を示す斜視図である。
【図７】戸厚の異なる開き戸に対する足指詰め防止材の取付状態を示す斜視図である。
【図８】エアタイトを設けた開き戸に対する足指詰め防止材の取付状態を示す斜視図である。
【発明を実施するための形態】
【００１６】
以下、この発明の実施形態を図面に基づいて詳細に説明する。この発明の一実施形態に係る開き戸１は、住宅の屋内に設けられるものであって、例えば居室と廊下との間、若しくは、居室と居室との間を仕切るように配されている。この開き戸１は、図１に示すように、門型の戸枠２における一方の縦枠材３にヒンジ４、４を介して回転可能に支持されており、戸枠２と床面５とによって囲まれた開口部を開閉するようになっている。そして、開き戸１の下面１０と床面５との間には、高さ１０ｍｍ程度の通気用の隙間（アンダーカット）６が形成されている。なお、この隙間６は、開き戸１の下面１０と床面５との干渉を防止するための干渉防止用の隙間を兼ねている。
【００１７】
この開き戸１においては、開閉動作に際して、足の指先が隙間６に挟まり易くなっていて、足指詰めの危険性があることから、これを防止するための対策が採られている。すなわち、図１及び図２に示すように、開き戸１の下面１０における戸先側にのみ足指詰め防止材２０を取り付けて、開き戸１の戸先側下面１０ａと床面５との間に生じる隙間６を小さくすることで、足指詰めを防止している。
【００１８】
なお、開き戸１の下面１０の戸先側から吊り元側の略全長に亘って足指詰め防止材２０を取り付ければ、隙間６を略全長に亘って小さくして、足指詰めを確実に防止することができる。しかしながら、使用者は、開き戸１の表裏面１１、１２の戸先側に設けたノブ７を操作して開き戸１を開けながら、開き戸１の戸先側に寄った位置において開口部を通過することが多いことから、隙間６のうち開き戸１の戸先側下面１０ａと床面５との間において足の指先を最も挟み易い。従って、開き戸１の戸先側下面１０ａにのみ足指詰め防止材２０を取り付けるだけでも、足指詰めを効果的に防止することができる。
【００１９】
足指詰め防止材２０は、例えば軟質ゴムや軟質合成樹脂等の軟質材からなり、図３に示すように、左右一対の側枠部２１、２１と、これら側枠部２１、２１の先端同士を連結する先端枠部２２とを備え、全体的に平面視コ字枠状に形成されている。なお、足指詰め防止材２０の長さＬ１は約５０ｍｍ、幅Ｌ２は開き戸１の戸厚約３６ｍｍよりも僅かに長い約３８ｍｍ、側枠部２１、２１間の間隔Ｌ３は約１８ｍｍとなっている。
【００２０】
側枠部２１は、底片２１ａと、この底片２１ａの長手方向に沿った外側端部から立ち上がった立ち上がり片２１ｂとからなり、断面略Ｌ字状に形成されている。また、先端枠部２２は、底片２２ａと、この底片２２ａの長手方向に沿った外側端部から立ち上がった立ち上がり片２２ｂとからなり、断面略Ｌ字状に形成されている。そして、側枠部２１、２１の底片２１ａ、２１ａと、先端枠部２２の底片２２ａとが、それら上面同士及び下面同士が面一となるようにコ字状に連続している。また、側枠部２１、２１の立ち上がり片２１ｂ、２１ｂと、先端枠部２２の立ち上がり片２２ｂとが、コ字状に連続している。
【００２１】
この足指詰め防止材２０においては、側枠部２１、２１の底片２１ａ、２１ａの上面及び先端枠部２２の底片２２ａの上面に、両面テープ２３が予め貼り付けられている。また、先端枠部２２には、側枠部２１、２１を切り離すための切れ込み２４、２４が予め形成されている。なお、本実施形態においては、先端枠部２２の２箇所に切れ込み２４、２４が形成されているが、１箇所であっても良い。
【００２２】
上記構成の足指詰め防止材２０の取り付けに際しては、図４に示すように、開き戸１の戸先側下端部の外周を、立ち上がり片２１ｂ、２１ｂ、２２ｂによって囲むようにして、底片２１ａ、２１ａ、２２ａの上面を、開き戸１の戸先側下面１０ａに両面テープ２３を介して接着している。なお、この接着に際しては、例えば接着剤を使用しても良い。
【００２３】
足指詰め防止材２０を開き戸１に取り付けた状態においては、開き戸１の戸先側下面１０ａにおける戸厚方向中央部位を回避するように、側枠部２１、２１が開き戸１の表裏面１１、１２の戸先側下端部に沿って配され、先端枠部２２が開き戸１の戸先側端面１３の下端部に沿って配されている。
【００２４】
上記のように、開き戸１の戸先側下面１０ａにのみ短尺な足指詰め防止材２０を取り付けて、隙間６のうち足の指先を最も挟み易い開き戸１の戸先側下面１０ａと床面５との間を狭くしているので、足指詰めを効果的に防止することができる。また、足指詰め防止材２０が軟質材からなるため、足の指先が足指詰め防止材２０に接触したり、開き戸１の戸先側下面１０ａと床面５との間に生じる隙間６に挟まるようなことがあったとしても、その当たりをやわらげて怪我が生じ難いようにすることができる。しかも、従来のような開き戸の下面全体を覆うような長尺な被覆材を使用する場合と比べて、足指詰め防止材２０の材料費を低く抑えてコスト削減を図ることができ、足指詰め防止材２０の取り扱いを容易にして、取付作業や交換作業を簡単に行うことができる。さらに、通気用の隙間６は、その戸先側の一部のみが塞がれるだけであるから、換気性能を良好に維持することができる。
【００２５】
また、足指詰め防止材２０は、コ字枠状に形成されていて、開き戸１の戸先側下面１０ａにおける戸厚方向中央部位を回避するように取り付けられることから、図５に示すように、例えば床面ストッパー３０等の機能部材を戸先側下面１０ａの戸厚方向中央部位に設けたような開き戸１に対しても、機能部材３０に干渉することなく取り付けることができる。
【００２６】
さらに、足指詰め防止材２０は、図６に示すように、カッター等を使用して、先端枠部２２を切れ込み２４、２４に沿ってカットすることで、側枠部２１、２１を切り離すことができる。従って、図７に示すように、戸厚が異なる（例えば戸厚約４０ｍｍ）の開き戸１に対しても、その戸厚に応じた間隔をあけて分離させた側枠部２１、２１を取り付けて、足指詰めを防止することができる。さらに、図８に示すように、例えばエアタイト３１等の機能部材を下面１０の戸先側から吊り元側の略全長に亘って設けたような開き戸１に対しても、その機能部材３１に干渉しないように分離させた側枠部２１、２１を取り付けて、足指詰めを防止することができる。
【００２７】
この発明は、上記実施形態に限定されるものではなく、この発明の範囲内で上記実施形態に多くの修正及び変更を加え得ることは勿論である。例えば、この発明の足指詰め防止材は、住宅の屋内に設けた開き戸に適用するだけでなく、玄関ドアとしての開き戸や、住宅以外の建物に設けた各種開き戸に適用しても良い。
【符号の説明】
【００２８】
１・・開き戸、５・・床面、６・・隙間、１０ａ・・戸先側下面、１１・・表面、１２・・裏面、１３・・戸先側端面、２０・・足指詰め防止材、２１・・側枠部、２２・・先端枠部、２４・・切れ込み
【図１】
2011144545.tif 000003
【図２】
2011144545.tif 000004
【図３】
2011144545.tif 000005
【図４】
2011144545.tif 000006
【図５】
2011144545.tif 000007
【図６】
2011144545.tif 000008
【図７】
2011144545.tif 000009
【図８】
2011144545.tif 000010